Podtech/llm-jp-corpus-v4-ja_patent huggingface dataset:
(57)【要約】      （修正有）【解決手段】赤外線送受信器の検出手段範囲に鳥獣人が侵入したとき、小型ストロボユニット（威嚇装置）を始動させ威嚇効果を上げると共に、検出状況、回数などを表示させることのできる機器を、寸法縦１２０ｍｍ横８０ｍｍ高さ５０ｍｍ体積０．０００４８ｍ３以下の箱（ケース）に納め、小型化したことを特徴とする。【効果】小型ストロボユニット（威嚇装置）を備えたことで、威嚇効果を上げることができる。表示器で回数など表示できるので今後の対応を検討できる。小型ケースに納めたことにより移動、設置が容易にできる。【選択図】図１
0003110542.tif 000002
【実用新案登録請求の範囲】
【請求項１】
検出手段範囲に鳥獣人が侵入したとき、小型ストロボユニット（威嚇装置）を始動させ威嚇効果を上げると共に、検出状況、回数などを表示させることのできる機器を、寸法縦１２０ｍｍ横８０ｍｍ高さ５０ｍｍ体積０．０００４８ｍ3以下の箱（ケース）に納め、小型化したことを特徴とする鳥獣人防犯検知機器。
【請求項２】
前記[請求項１]をふまえた上で、図１に示す検出素子（検出手段）１が赤外線受信部となり遠方の赤外線送信部からの検出信号を受信できる鳥獣人防犯検知機器。
【考案の詳細な説明】
【技術分野】
【０００１】
本考案は、警戒エリアに侵入する鳥獣人を検出することにより、ストロボ発光手段で威嚇効果を上げると共に検出状況、回数などを表示し今後の防犯対策を任意で検討でき小型化された鳥獣人検知機器に関するものである。
【特許文献１】３００３０６９
【背景技術】
【０００２】
現在、実用化されている防犯装置（機器）では確実性の狙いからカメラの普及が多い。それと点滅動作とセンサー内臓のライト（照明器具）も実用化されている。
【０００３】
しかし、様々なカメラ装置（機器）は高価な傾向がある。カメラ装置は配線工事（専門工事業者）も必要である場合も多く移動が容易にできないので種類豊富な機器を需要者が選択するのに悩んでいるのが現状だ。
【０００４】
安価なライト（照明器具）に対しては、侵入した形跡はあるが時間、回数など分からないという欠点があった。配線工事（専門工事業者）も必要な場合があった。移動が容易にできない
【０００５】
この改善策として、本考案は安価で移動ができ威嚇効果も高いので、防犯装置（機器）としての利用が可能。回数などを表示するため、今後の防犯対策を任意で検討でき防犯装置（機器）の選択が容易にできるようにしたものである。
【考案の開示】
【考案が解決しようとする課題】
【０００６】
解決しようとする問題点は、カメラ装置（機器）の高価と、安価のライト（照明器具）では固定方式で移動が出来ず安価機器は留守中何回感知したのかわからない。配線工事（専門工事業者）も必要な場合があった点である。
【課題を解決するための手段】
【０００７】
本考案は、安価で移動ができ威嚇効果も高いので、防犯装置（機器）としての利用が可能。回数などを表示するため、今後の防犯対策を任意で検討でき防犯装置（機器）の選択が容易にできるようにしたものである。
【考案の効果】
【０００８】
本考案の鳥獣人検知機器は、小型ストロボユニット（威嚇装置）を備えたことで、威嚇効果を上げることができる。表示器で回数など表示できるので今後の対応を検討できる。小型ケースに納めたことにより移動、設置が容易にできる。
【図面の簡単な説明】
【０００９】
以下、実施例に基ずき本考案を説明する。
【図１】本考案による小型化を目的とする寸法(縦）１２０ｍｍ（横）８０ｍｍ（高さ）５０ｍｍ以下であることを可能とした外観図である。
【図２】図１の裏面の表示器・操作ユニットの外観図（配置は任意）である。
【図３】[構成]によるブロック図で、検出素子（検出手段）１を用い２，３，４，５，６，７，８の機器との構成で威嚇効果を上げると共に、検出状況、回数などを表示させることを可能としたものである。
【実施例１】
【００１０】
鳥獣人が警戒エリアに侵入したとき、検出素子（検出手段）１が検知しプログラムIC（LSI)２に検出信号が出力される。出力されたプログラムIC（LSI)２は制御手段により制御信号を表示器３及びリレーユニット５に供給する。供給された表示器３は情報を表示する。リレーユニット５は接点開状態から閉状態に動作し小型ストロボユニット（威嚇装置）７・８を交替で動作（連動）させ、一定時間動作させる。操作ユニット６はプログラムIC（LSI)２に信号を供給し表示内容を切替させる。蓄電池ユニットはリレーユニット５以外の１，２，３，４，６，７，８の機器に電源を供給させる。
【符号の説明】
【００１１】
１  検出素子（検出手段）  ２  プログラムIC（LSI)  ３  表示器４  蓄電池ユニット  ５  リレーユニット  ６  操作ユニット７・８  小型ストロボユニット（威嚇装置）
【図１】
0003110542.tif 000003
【図２】
0003110542.tif 000004
【図３】
0003110542.tif 000005
【手続補正書】
【提出日】平成16年10月20日(2004.10.20)
【手続補正１】
【補正対象書類名】実用新案登録請求の範囲
【補正対象項目名】請求項２
【補正方法】変更
【補正の内容】
【請求項２】
検出状況、回数などを表示させて小型化であることを特徴とする請求項１に記載の鳥獣人防犯検知機器で、検出素子（検出手段）１が赤外線送信部と赤外線受信部の組み合わせにより、遠方の赤外線送信部の検出手段範囲に鳥獣人が侵入したとき、検出信号を受信部へ送信し、受信した赤外線受信部は小型ストロボユニット（威嚇装置）を始動させることのできる鳥獣人防犯検知機器。
(57)【要約】【課題】  空気汚染を防止すると共に、タバコの減りを抑える灰皿を提供する。【解決手段】  中央にタバコの灰を収容するための収容凹部が形成される本体を有し、該本体の周縁にタバコを置くための溝が形成される灰皿であって、前記溝の内側に通気溝が形成されることを特徴とする。【選択図】  図１
0003110501.tif 000002
【実用新案登録請求の範囲】
【請求項１】
中央にタバコの灰や吸い殻を収容するための収容凹部が形成される本体を有し、該本体の周縁にタバコを置くための溝が形成される灰皿であって、
前記溝の内側に通気溝が形成されることを特徴とする灰皿。
【請求項２】
前記通気溝が溝の底部に位置することを特徴とする請求項１に記載の灰皿。
【考案の詳細な説明】
【技術分野】
【０００１】
本考案は、特にタバコの煙による空気汚染を防止すると共に、タバコを減りを抑える灰皿に関するものである。
【背景技術】
【０００２】
図４及び図５に示すように、従来の灰皿（３０）は、中央にタバコの灰を収容するための収容凹部（３２）が形成される本体（３１）を有し、該本体（３１）の周縁にタバコを置くための溝（３４）が形成されることにより、タバコをしばらく吸わないときには、該タバコを溝（３４）に置くことができ、又、タバコの一端から落ちる灰を収容凹部（３２）に収容することができる。
【考案の開示】
【考案が解決しようとする課題】
【０００３】
しかしながら、タバコを従来の灰皿（３０）の溝（３４）に置いた際、火が付いているタバコの一端と空気との接触面積が広すぎ、タバコの燃える速度が速いため、タバコを無駄にしてしまうと共に、その煙りも大量に発生し、空気を汚染してしまう。
【０００４】
そこで、案出されたのが本考案であって、タバコの煙による空気汚染を防止すると共に、タバコの減りを抑える灰皿を提供することを目的としている。
【課題を解決するための手段】
【０００５】
本願の請求項１の考案は、中央にタバコの灰を収容するための収容凹部が形成される本体を有し、該本体の周縁にタバコを置くための溝が形成される灰皿であって、
前記溝の内側に通気溝が形成されることを特徴とする灰皿及び、
本願の請求項２の考案は、前記通気溝が溝の底部に位置することを特徴とする請求項１に記載の灰皿、を提供する。
【考案の効果】
【０００６】
本考案は上記の課題を解決するものであり、溝の内側に通気溝が形成されることにより、タバコを燃やし続けることができ、又、燃やした一端を溝に位置すると共に、空気との接触面積を小さくするので、空気汚染を防止すると共に、タバコを節約することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る灰皿の使用状態を示す斜視図であり、図２は本考案に係る灰皿の使用状態を示す断面図であり、図３は本考案に係る灰皿の使用状態を示す側面図である。
【０００９】
図１乃至図３に示すように、本考案に係る灰皿（１０）は、中央にタバコの灰を収容するための収容凹部（１２）が形成される本体（１１）を有し、該本体（１１）の周縁にタバコを置くための溝（１２）が形成される灰皿（１０）であって、
前記溝（１２）の内側に通気溝（１６）が形成され、又、該通気溝（１６）が溝（１２）の底部に位置する。
【００１０】
本考案に係る灰皿（１０）を使用する場合、燃やしたタバコを本体（１１）の溝（１２）に掛けて、該溝（１２）の内側に通気溝（１６）を有するので、タバコを燃やし続けることができ、又、燃やした一端を溝（１２）に位置すると共に、空気との接触面積を小さくするので、空気汚染を防止すると共に、タバコの減りを抑えることができる。
【産業上の利用可能性】
【００１１】
本考案は上記の構成を有するので、溝の内側に通気溝が形成されることにより、タバコを燃やし続けることができ、又、燃やした一端を溝に位置すると共に、空気との接触面積を小さくするので、空気汚染を防止すると共に、タバコの減りを抑えることができる。
【図面の簡単な説明】
【００１２】
【図１】本考案に係る灰皿の使用状態を示す斜視図である。
【図２】本考案に係る灰皿の使用状態を示す断面図である。
【図３】本考案に係る灰皿の使用状態を示す側面図である。
【図４】従来の灰皿の使用状態を示す斜視図である。
【図５】従来の灰皿の使用状態を示す断面図である。
【符号の説明】
【００１３】
１０        灰皿
１１        本体
１２        収容凹部
１４        溝
１６        通気溝
３０        灰皿
３１        本体
３２        収容凹部
３４        溝
【図１】
0003110501.tif 000003
【図２】
0003110501.tif 000004
【図３】
0003110501.tif 000005
【図４】
0003110501.tif 000006
【図５】
0003110501.tif 000007
(57)【要約】【課題】  係合が不完全であっても、滑って溝が潰れたりしないボルトとドライバを提供する。【解決手段】  頭部上面にドライバ係合溝が形成されたボルト又はビスにおいて、この溝を平面視で卍形又は鍵十字形にしたことを特徴とするボルトとこれに係合するドライバ。【選択図】  【図１】
0003110506.tif 000002
【実用新案登録請求の範囲】
【請求項１】
頭部上面にドライバ係合溝が形成されたボルト又はビスにおいて、この溝を平面視で卍形又は鍵十字形にしたことを特徴とするボルト。
【請求項２】
頭部が皿形又は半球形をしている請求項１のボルト。
【請求項３】
請求項１又は２のボルト又はビスのドライバ係合溝に係合される係合部を有することを特徴とするドライバ。
【考案の詳細な説明】
【技術分野】
【０００１】
本考案は、特殊のドライバ係合溝を有するボルトとこれを回すドライバに関するものである。
【背景技術】
【０００２】
ボルト（ビスやねじも含む。以下同じ）の頭部には、ドライバが係合できるドライバ係合溝（以下、係合溝）が形成されているが、その形状は−形をしたマイナス形か、＋形をしたプラス形に決まっていた。後者のプラス形は、ドライバに係合する面積が大きいため、滑ったりしたときに潰れ難いということもあって、最近では、プラス形が多く使用されている。
【０００３】
ところで、この係合溝についての新規な考案については、あまり提案は見られず、わずかに下記特許文献１に、頭部上面に球面穴を形成するとともに、この球面穴に十字溝を形成したものが示されている。この目的は、球面穴によってドライバに調芯作用を与え、外れ難くしたものであり、潰れ防止を図ったものである。しかし、接触面積は同じであることから、力がかかって浮き上がったりすると、従来と同様に滑りが起きて潰れたりすることがある。
【特許文献１】実開昭５７−１９０１１５号公報
【考案の開示】
【考案が解決しようとする課題】
【０００４】
本考案は、これに対処するものであり、要するに、ドライバとの接触面積を増す形状を考案することで、滑りをなくして潰れを防止し、併せて円滑なねじ込み操作ができるようにしたものである。
【課題を解決するための手段】
【０００５】
以上の課題の下、本考案は、請求項１に記載した、頭部上面にドライバ係合溝が形成されたボルト又はビスにおいて、この溝を平面視で卍形又は鍵十字形にしたことを特徴とするボルトを提供するとともに、請求項３に記載した、こののドライバ係合溝に係合される係合部を有することを特徴とするドライバを提供したものである。
【考案の効果】
【０００６】
請求項１の手段によると、係合溝を卍形又は鍵十字形にしたものであるから、＋形溝の溝線の先端にこれと連続する溝が周方向に形成されることになり、これと同じ形状の係合部を有するドライバとの接触面積が増す。したがって、係合が不完全な場合であっても、十分な接触面積が確保され、滑って潰れたりすることがない。また、このことは、ドライバの回転が安定して発揮できることになるから、ねじ込みも早くて楽になる。
【考案を実施するための最良の形態】
【０００７】
以下、本考案の実施の形態を図面を参照して説明する。図１はボルトの平面図、図２は一部断面側面図であるが、このボルト１は、ねじ部２の上部に設けられる頭部３が半球体に形成された丸小ねじであるが、その頭部３の上面に形成される係合溝４が卍形をしているのである。ここでの卍形とは、十字溝４ａの外端に周方向に連続する帯４ｂが形成されたものである。なお、図４は他の例を示すボルトの平面図であるが、このように、帯４ｂが逆方向に延びた逆卍形（鍵十字）であってもよい。
【０００８】
以上のボルトは、頭部３が半球形をした丸小ねじであるが、この他に皿ねじ等（図示省略）あらゆる頭部２をしたボルトにも適用できる。図３はこのボルトに係合するドライバ５の一部側面図であるが、その軸筒６の先端には、係合溝４に係合される係合部７が形成されるが、本考案では、この係合部７は、当然に上記した卍形又は逆卍形と同じ形状のものにしてある。なお、係合溝４や係合部７の形成は、従来と同様、プレスや鍛造によればよく、それほどコストアップにはならない。
【０００９】
以上のボルトとドライバによれば、両者を係合したときの接触面積が多い。したがって、ドライバを回すときに係合が不十分であったとしても、滑って潰れたりする事態が少ない。これにより、ボルトの無駄が省けるとともに、ねじ込み操作も楽になる。
【図面の簡単な説明】
【００１０】
【図１】本考案のボルトの平面図である。
【図２】本考案のボルトの一部断面側面図である。
【図３】本考案のドライバの一部側面図である。
【図４】本考案のボルトの他の例を示す平面図である。
【符号の説明】
【００１１】
１    ボルト
２    ねじ部
３    頭部
４    係合溝
４ａ  十字溝
４ｂ  帯
５    ドライバ
６    軸筒
７    係合部
【図１】
0003110506.tif 000003
【図２】
0003110506.tif 000004
【図３】
0003110506.tif 000005
【図４】
0003110506.tif 000006
(57)【要約】      （修正有）【課題】ガスコンロの周りに油等飛散防止用レンジパネルが設置されている場合、既設ガス栓のコックの開閉作業を容易にし、開閉動作中にレンジパネルを曲げたり、折ったりしてしまうことを防止する。【解決手段】既設ガス栓のコック１に延長棒２を取り付けることにより油等飛散防止用レンジパネル３の上端よりも上から、ガス栓の開閉作業を行うことができるようになる。【選択図】図３
0003110571.tif 000002
【実用新案登録請求の範囲】
【請求項１】
既設ガス栓のコックを上部より開閉するための、既設ガス栓のコックに被せる延長棒。
【考案の詳細な説明】
【技術分野】
【０００１】  本考案は、既設ガス栓のコックに被せる延長棒に関する。
【背景技術】
【０００２】  台所のガスコンロの周りに油等飛散防止用のレンジパネルを設置する場合がある（図１）。
【考案の開示】
【考案が解決しようとする課題】
【０００３】  現状では、レンジパネルが邪魔をして既設ガス栓のコックの開閉動作中に不安定な姿勢になりレンジパネルを曲げたり、折ったりしてしまうという問題点を有していた。
【課題を解決するための手段】
【０００４】  そこで、上記問題点を解決するために既設ガス栓のコックに延長する棒を被せることによって、レンジパネルの上端よりも上から、既設ガス栓のコックの開閉操作を出来るようにした（図２）。
【考案の効果】
【０００５】  ガスコンロの後方、側面のレンジパネルを曲げたり、折ったりすること無くガス栓のコックの開閉ができるようになる。また、近年大地震の発生がにわかに囁かれるなか、地震発生時ガス栓のコックを即座に比較的安定した姿勢にて閉めることができる。
【考案を実施するための最良の形態】
【０００６】  本考案に係る延長棒２は、図３及び図４に示すように、既設ガス栓コックに被せるように形成されている。既設ガス栓のコックに被せる延長棒２の長さは、レンジパネル３の高さに応じて決めればよい。素材は耐火素材またはそれに準ずる素材で形成することが望ましい。
【図面の簡単な説明】
【０００７】
【図１】  従来の側面図である。
【図２】  本考案に係る既設ガス栓のコックに被せる延長棒を取り付けた時の側面図である。
【図３】  本考案に係る既設ガス栓のコックに被せる延長棒を取り付けた時の側面部分拡大断面図（ガス栓コック閉時）である。
【図４】  本考案に係る既設ガス栓のコックに被せる延長棒を取り付けた時の側面部分拡大断面図（ガス栓コック開時）である。
【符号の説明】
【０００８】  １  既設ガス栓のコック
２  延長棒
３  レンジパネル
４  ガスコンロ
５  ガス台
６  人の手
７  壁
【図１】
0003110571.tif 000003
【図２】
0003110571.tif 000004
【図３】
0003110571.tif 000005
【図４】
0003110571.tif 000006
(57)【要約】      （修正有）【課題】従来の指圧用具では、固定した形でゴツゴツ感があり長時間の連続使用は困難であった。指圧のための特別な時間を必要とせず寝床に入り眠りの最中に指圧でき、背中にある数多くのツボラインに沿って複数の親指感覚で指圧できる用具を提供する。【解決手段】この用具では、指圧部を人の親指感に近づけるために、オレフィン系樹脂ホースなどの比較的硬い半ゴム弾性のホースを利用して長時間連続使用を可能にした。【選択図】  図２
0003110580.tif 000002
【実用新案登録請求の範囲】
【請求項１】
オレフィン系樹脂などの半ゴム弾性を有する材質から成るホースを、背中のツボ巾２列に配列し、該ホース部分にＶの字型の切り込みを等間隔で入れ、残された台形の部分を指圧部とした背中指圧効果用具。
【請求項２】
スポンジゴムは腰部に当るホースの下に配置した請求項１の背中指圧効果用具。
【考案の詳細な説明】
【技術分野】
【０００１】この考案は、夜中睡眠中鼾の高い人などが無呼吸症候群になるのを防ぐための背中指圧効果用具に関するものである。
【背景技術】
【０００２】従来の背中への指圧用具は特開平１１−１９１７５に示されるように球体又は複数の棒状部材を指圧部としているためゴツゴツ感があり、長時間の連続使用は困難であった。
背中への指圧のツボは数多くあり、これまでの指圧用具は固定した形で、その一部分しか指圧できず、多くのポイントを探りながらの指圧は困難であった。
【考案が解決しようとする課題】
【０００３】本考案は上記従来の指圧用具の問題点を解決しようとするものであり、指圧のための特別な時間を必要とせず寝床に入り眠りの最中に指圧でき、背中にある数多くのツボラインに沿って複数の親指感覚で指圧できる用具を提供するものである。
【課題を解決するための手段】
【０００４】この用具では、指圧部を人の親指感に近づけるために、オレフィン系樹脂ホースなどの比較的硬い半ゴム弾性のホースを利用して長時間連続使用を可能にした。
【考案を実施するための最良の形態】
【０００５】以下図１〜４に基づき本考案に係る背中指圧用具の具体的な実施の形態を説明する。【０００６】ツボ押しホース１は、ホース外径Ｌ６を約２０ｍｍとし、ホース全長Ｌ５を首から腰までの長さ（約５００ｍｍ）としたもの２本から成る。【０００７】ツボ押しホース１は、その全長に亘ってカット深さＬ１（約１０ｍｍ）カット巾Ｌ２（約１３ｍｍ）のＶの字カットをピッチＬ３（約３０ｍｍ）で入れる。ホース１の台形の部分を指圧部とする。このホース１はオレフィン系樹脂などの半ゴム弾性のものとする。【０００８】背中のツボは、背中を中心として左右に約３０ｍｍの位置に腰から首までの間に存在する。
ツボ押しホース１を固定板２の両サイドにツボ巾Ｌ４（約６０ｍｍ）で２列固定する。固定板２とツボ押しホース１の下面にＬ３の間隔で小穴（約３ｍｍ）を設け図３及び図４で示すように、太さ約２ｍｍの紐糸６Ａと６Ｂを交互に小穴に通しホース内側下面と固定板外側を締め付け固定することにより上から架かる体重でツボ押しホース１が動くことを抑制する。【０００９】固定板２と、ウレタンフォーム枕３との取り付け取り外しを可能とするため、ウレタンホーム枕３にはファスナーテープ４Ａを枕カバーに取り付け、固定板２の頭部にはファスナーテープ４Ｂを取り付ける。【００１０】図２は、背中指圧用具を使用している全体の側面図である、枕３の上に頭部を載せ、ツボ押しホース１の上に背中を載せることにより、首から腰までのツボ２列を指圧することができる。【００１１】ツボ押しホース１の腰部には、スポンジゴム５を腰の窪みラインに沿わせることにより、腰への指圧を最適化することができる。スポンジゴム５は、材質がゴムでスポンジ状のものであり、硬さがゴムより柔らかくスポンジより硬いものをいう。【００１２】図３は、ツボ押しホース１の一部分拡大無使用状態を示す。【００１３】図４及び図５は、ツボ押しホースの使用状態を示す。図において指圧部台形に上から重量が架かりホース１ａのように楕円に変形して指圧力が生まれ、その太さ、長さ、押し具合が、人の親指感を出せるようになっている。上から架かる重さが軽ければ台型の沈み量は小さく、下から上に押し上げようとする力は弱く又、重さが重ければ台型の沈み量は多く、その分押す力は強まる。
【考案の効果】
【００１４】ホース２本にＶ字カットを入れホースの台形部を指圧部としたことにより、親指サイズで背中の２列のツボを寝たままの自然の形で指圧できる。
【００１５】ホースをオレフィン系樹脂などの半ゴム弾性を有する材質とすることにより、経済的なかつ長期間使用が可能である。
【００１６】長時間の眠りでも鼾が高い人程眠りが浅く、体に倦怠感を残す。この用具を使うことにより深い眠りに就け全身の血行を促進、体の疲れや腰の痛みを解消することができる。
【図面の簡単な説明】
【００１７】
【図１】背中指圧用具を示す全体の平面図。
【図２】背中指圧用具の実使用状態を示す側面図。
【図３】無使用状態を示す一部分の拡大側面図。
【図４】使用状態を示す一部分の拡大側面図。
【図５】ホースの台形部の使用状態を示す断面図。
【符号の説明】
【００１８】１、ツボ押しホース    １ａ、ツボ押しホースに重量が架かった状態
２、固定板
３、ウレタンフォーム枕
４Ａ、枕側ファスナーテープ
４Ｂ、固定板側ファスナーテープ
５、スポンジゴム
６Ａ，６Ｂ，紐糸
【Ｌ１〜Ｌ６の説明】
【００１９】Ｌ１・・・Ｖカットの深サ
Ｌ２・・・Ｖカットの長サ
Ｌ３・・・Ｖカットのピッチ
Ｌ４・・・ツボ巾
Ｌ５・・・ホース全長
Ｌ６・・・ホース外径
【図１】
0003110580.tif 000003
【図２】
0003110580.tif 000004
【図３】
0003110580.tif 000005
【図５】
0003110580.tif 000006
【手続補正書】
【提出日】平成17年3月29日(2005.3.29)
【手続補正１】
【補正対象書類名】図面
【補正対象項目名】図３
【補正方法】変更
【補正の内容】
【図３】
0003110580.tif 000007
【手続補正２】
【補正対象書類名】図面
【補正対象項目名】図４
【補正方法】変更
【補正の内容】
【図４】
0003110580.tif 000008
(57)【要約】【課題】    ジャム等の瓶詰めの広口瓶ねじ付き蓋を外す時、手のひらに痛みを感じたり又、力も要しているので、女子や老人には蓋を外すのが困難な不都合の解消。【解決手段】    手で直に瓶蓋を握らず、本考案による器具（図１）の本体ケ−ス部１を手に持ち、瓶蓋にかぶせ下方に押しながら回すと、器具の中のゴム輪３が瓶蓋に咬み付いて蓋をはずすことにより、この課題を解決する。【選択図】    図１
0003110575.tif 000002
【実用新案登録請求の範囲】
【請求項１】
ジャムの瓶詰め等の広口瓶のねじ付き蓋を咬えるゴム輪と、これを保持するホルダ−とそのホルダ−を締め付けるとともに、手のひらからの回す力を伝える本体ケ−ス、及び外した蓋をケ−スの中から突き出す部品、を備えた広口瓶のねじ付き蓋外し器。
【考案の詳細な説明】
【技術分野】
【０００１】  本考案はジャム等の瓶詰めの広口瓶ねじ付き蓋を外すのに使用する器具に関する。
【背景技術】
【０００２】  従来は瓶の蓋を直に手のひらで握って回して外している。
【考案が解決しようとする課題】
【０００３】  しかし、これでは、手のひらに痛みを感じたり、又、力も要しているので、女子や老人には蓋を外すのが困難な場合がある。
【課題を解決するための手段】
【０００４】  そこで、瓶蓋を咬えるゴム輪と、これを保持するホルダ−と、ホルダ−を締め付けて手のひらからの回す力を伝える本体ケ−ス、及び外した瓶の蓋をケ−スの中から突き出す部品を備えた広口瓶のねじ付き蓋外し器を考案した。（図１）
【考案の効果】
【０００５】  よって、本考案の器具により、女子老人でもジャム等の瓶詰めのねじ蓋を、容易に外すことができる。現今の世相である核家族化による高齢者所帯においては、有益な道具になるものと思う。
【考案を実施するための最良の形態】
【０００６】  本考案に係る広口瓶ねじ付き蓋外し器は、図１に示す様に本体ケ−ス１の内側傾斜面でホルダ−２を締め込み、それによってゴム輪３が瓶蓋に押しつけられる。又、図２に示す様に、本体ケ−ス１の内側凹溝部とホルダ−２の外側の凸部とのはまり合いにより、回す力が伝えられる。ここに於いて本体ケ−ス１とホルダ−２との接触面の傾斜角度は、、本本体ケ−ス１を手で回す時、自然な範囲で下方へ押す力で、ゴム輪３が瓶蓋を咬える力を発生させる様な角度（約５°）を選定すればよい。
【図面の簡単な説明】
【０００７】
【図１】本考案に係る広口瓶ねじ付き蓋外し器の断面図である。
【図２】回わし力を伝える断面図である
【符号の説明】
【０００８】  １    本体ケ−ス
２    ホルダ−
３    ゴム輪
４    ばね
５    突き出し棒
６    突き出し駒
７    ふた板
【図１】
0003110575.tif 000003
【図２】
0003110575.tif 000004
【手続補正書】
【提出日】平成17年3月10日(2005.3.10)
【手続補正１】
【補正対象書類名】実用新案登録請求の範囲
【補正対象項目名】全文
【補正方法】変更
【補正の内容】
【実用新案登録請求の範囲】
【請求項１】
締め付け力を発生させる傾斜面Ａと回転力を伝える凸起部Ｂとを内側に持つ本体ケ−ス（図１）１と、  この本体ケ−スの傾斜面に接して締め付け力を伝える可撓性部Ｃとこの本体ケ−スの凸起部に接し回転力を伝える凹部Ｄ（図２）とを外側に持つホルダ−（図１）２と、  当該ホルダ−の内側にあって瓶蓋に接するゴム輪３とを、  備え、さらに、本体ケ−スの中央部の穴に入っている上下可動な突き出し棒（図１）５を備えた、広口瓶のねじ付き蓋外し器。
【手続補正２】
【補正対象書類名】明細書
【補正対象項目名】全文
【補正方法】変更
【補正の内容】
【考案の詳細な説明】
【技術分野】
【０００１】  本考案は、ジャム等の瓶詰めの、広口瓶のねじ付き蓋を外すのに使用する器具に関する。
【背景技術】
【０００２】  従来は、瓶の蓋を直に手のひらで握って、回して外している。
【考案が解決しようとする課題】
【０００３】  しかし、これでは、手のひらに痛みを感じたり、又、力も要しているので、女子や老人には蓋を外すのが困難な場合がある。
【課題を解決するための手段】
【０００４】  瓶を片方の手で支え、もう一方の手で、瓶蓋にかぶせた本体ケ−ス１を回す時、自然と体重のかかる範囲で下方への押し回しすることにより、瓶の蓋をくわえ回す事が出来る様にした。このことは（図１）１本体ケ−スの傾斜面Ａの楔効果により、咬える力を発生させ、又、凸起部Ｂにより回転力を伝えさせることにより達成される。瓶蓋に接して滑らない様に（図１）３ゴム輪をつけた。このゴム輪に本体ケ−スからの締め付け力と回転力を伝える役目に（図１）２ホルダ−を設けた。又、外した蓋が本体ケ−ス内に残るので、これを取り出すための突き出し棒（図１）５もつけた。これらを備えた本器（図１）を考案した。
【考案の効果】
【０００５】  よって、本考案の器具により、女子老人でもジャム等の瓶詰めのねじ蓋を、容易に外すことができる。現今の世相である核家族化による高齢者所帯においては、有益な道具になるものと思う。
【考案を実施するための最良の形態】
【０００６】  本体ケ−ス（図１）１に於いて、ホルダ−（図１）２との接触面Ａの傾斜角度の選択は、本体ケ−スを自然な範囲で下方へ押す力で、ゴム輪（図１）３が瓶蓋を咬える力が発生する角度（約５°）を選定すればよい。又、ホルダ−（図１）２に於いて、空き幅Ｅは、この空き幅にゴムが、じわりと入り込むことによりゴムとの滑りを防ぐ役割をしている。
【図面の簡単な説明】
【０００７】
【図１】組み立て断面図で、全部品の縦方向の位置関係を示した。部品番号１の本体ケ−スを示した。これは人が握る所である。部品番号２のホルダ−を示した。これは内部にあって力を伝達する役割りをするものである。部品番号３のゴム輪を示した。これは瓶蓋に接触する所である。部品番号４の  ばね  を示した。これはホルダ−を常時下げておく役割りをするものである。部品番号５の突き出し棒を示した。これは本器の中から瓶蓋を取り出すためのものである。部品番号６の突き出し駒を示した。これは５の棒の抜け止めである。部品番号７のふた板を示した。これは底部のふたをするものである。
【図２】凸起部Ｂと凹部Ｄとの、はめ合いを示した。
【符号の説明】
【０００８】１    本体ケ−ス
２    ホルダ−
３    ゴム輪
４    ばね
５    突き出し棒
６    突き出し駒
７    ふた板
【手続補正３】
【補正対象書類名】図面
【補正対象項目名】全図
【補正方法】変更
【補正の内容】
【図１】
0003110575.tif 000005
【図２】
0003110575.tif 000006
(57)【要約】  【課題】  コンパクトに収納ができるとともに、電気等の熱源を使用せずに人体を暖めることでき、しかも肌触りの良く人体に無害な採暖用織物を提供すること。【解決手段】    絹製の布地１１からなる採暖用織物において、当該布地１１を風通組織とする。人体に無害な絹を使用した。また、風通組織としたので、保温性に優れており、吸湿性もあり餅肌的風合いである。放湿性も大となる。また、収納する場合に嵩がはらず場所を取ることがない。また、電気等の熱源を必要としない。また、構成が簡単であるので、半永久的に使用できる。  布地１１の縦方向に所定本数の高収縮糸２１を入れて変わりプリーツ状の皺を寄せる。【選択図】  図１
0003110569.tif 000002
【実用新案登録請求の範囲】
【請求項１】
絹製の布地からなる採暖用織物において、当該布地を風通組織としたことを特徴とする採暖用織物。
【請求項２】
前記布地の縦方向に所定本数の高収縮糸を入れて変わりプリーツ状の皺を寄せて成る請求項１記載の採暖用織物。
【考案の詳細な説明】
【技術分野】
【０００１】
本考案は、就寝した人の足等を暖めることが可能な採暖用織物に関する。特に、足暖用具・膝掛け・ショールに用いるのに好適な採暖用織物に関する。
【背景技術】
【０００２】
安眠を得るためには、身体を一定の温度に保つ必要があるといわれている。そのため、特に寒い冬場には、冷える足を暖めるために電気炬燵等のフットウオーマーが使用されることがある。また、全身の寒気を解消するために、電気毛布が使われることがある（例えば、特許文献１参照）。
【特許文献１】特開平１１−３１８６６６公報
【考案の開示】
【考案が解決しようとする課題】
【０００３】
しかし、上記した電気毛布は、ヒーター線を内蔵しているためかゴワゴワしていて肌触りが悪い。また、押入れに収納する場合などに以外に嵩がはり場所を取ることが多い。また、電気を消費し、ランニングコストが掛かる。これらの不都合は、膝掛けやショールとして使用した場合にも生じる。
【０００４】
本考案の目的は、コンパクトに収納ができるとともに、電気等の熱源を使用せずに人体を暖めることでき、しかも肌触りの良く人体に無害な採暖用織物を提供することにある。
【課題を解決するための手段】
【０００５】
上記目的を達成するために、請求項１の考案は、絹製の布地からなる採暖用織物において、当該布地を風通組織としたものである。
【０００６】
上記請求項１の考案の場合、絹製の布地からなるので、人体に無害である。また、布地が絹製であることに加えて、風通組織としたので、保温性に優れており、吸湿性は全体の重量の３０％ほどあり、餅肌的風合いである。放湿性も大である。また、収納する場合に嵩がはらず場所を取ることがない。また、電気等の熱源を必要とせず、ランニングコストも殆ど掛からない。また、構成が簡単であるので、半永久的に使用できる。
【０００７】
請求項２の考案は、前記布地の縦方向に所定本数の高収縮糸を入れて変わりプリーツ状の皺を寄せて成るものである。
【０００８】
上記請求項２考案の場合、請求項１の考案と同様な作用・効果を奏する他、デザイン的にも変化を出すことができる。
【考案の効果】
【０００９】
請求項１の考案によれば、コンパクトに収納ができるとともに、電気等の熱源を使用せずに人体を暖めることでき、しかも肌触りの良く人体に無害である。
【００１０】
また、請求項２の考案によれば、前記布地の縦方向に所定本数の高収縮糸を入れて変わりプリーツ状の皺を寄せて成るので、請求項１の考案と同様な効果を奏する他、デザイン的にも変化を出すことができる。
【考案を実施するための最良の形態】
【００１１】
本考案の最良の実施形態を図面に基づき説明する。
【００１２】
本考案に係る採暖用織物は、足暖用具・膝掛け・ショールに用いるのに好適なものであり、図１に示すように、絹製の布地１１からなり、当該布地１１を風通組織としたものである。すなわち、絹製の布地１１は、表と裏との二重組織となっており、袋状となっている。
【００１３】
特に、この実施形態の場合、上記布地１１の縦方向に所定本数の高収縮糸（例えば、高収縮のウレタン糸）２１を入れて変わりプリーツ状の皺２５を寄せて成る。
【００１４】
上記した構成の採暖用織物の場合、絹製の布地１１からなるので、人体に無害である。また、布地１１が絹製であることに加えて、風通組織としたので、保温性に優れており、吸湿性は全体の重量の３０％ほどあり、餅肌的風合いである。放湿性も大である。また、収納する場合に嵩がはらず場所を取ることがない。また、電気等の熱源を必要とせず、ランニングコストも殆ど掛からない。また、構成が簡単であるので、半永久的に使用できる。
【００１５】
さらに、布地１１の縦方向に所定本数の高収縮糸２１を入れて変わりプリーツ状の皺２５を寄せて成るので、デザイン的にも変化を出すことができる。
【図面の簡単な説明】
【００１６】
【図１】本考案の実施形態を説明するための図である。
【符号の説明】
【００１７】
１１  布地
２１  高収縮糸
２５  皺
【図１】
0003110569.tif 000003
(57)【要約】【課題】寝たきりの人達が、少しでも床ずれがおきない為の床ずれ防止エアーマットを提供致します。【解決手段】ビニール素材で全体の型を採り空間を設ける事により体圧分散が可能になりエアーを入れて適度な圧を加えて体全体を安定させる。【選択図】図１
0003110568.tif 000002
【実用新案登録請求の範囲】
【請求項１】
エアーマットに空間を設けて背部用と腰部から殿部にかけて使用するものと２種類の型からなる体圧分散型の特徴をもつ床ずれ防止エアーマット
【考案の詳細な説明】
【技術分野】
【０００１】床ずれにならない為に又すでに出来ている人達の改善する目的の為のエアーマットである。
〔背景技術〕【０００２】電気エアーマットや凸凹素材のマット等いろいろありますが一時の改善あるが高価なものが多い。本考案は重量もなく手軽に移動出来る。部分的に使用できる。
体圧分散が可能な為どこでも使用できる。
〔考案の開示〕
〔考案が解決しようとする課題〕【０００３】使用する人それぞれにも栄養状態も異なり、個人差も多少はありますが体位変換も行いながら工夫したマット使用により床ずれは改善方向へ進んでゆくと思います。
〔課題を解決するための手段〕【０００４】床ずれ防止エアーマット使用中も皮フの早めの気づきや皮フの清潔に努める事により床ずれは少なくなります。
〔考案の効果〕【０００５】床ずれ防止エアーマットを使用してから２〜３日后に皮フ色発赤が消失したり、乾燥傾向になるなどの改善様子がでてきました。
〔考案を実施するための最良の形態〕【０００６】背面用と腰部から殿部面の２種類に区別する。
体重が集中しやすい仙骨部、肩甲部、背柱に空間を設ける。
マットのエアーの圧を調節する。
〔実施例〕【０００７】図１は床ずれ防止エアーマットを敷いて、仰臥位にし背面からみた状態です。
〔産業上の利用可能性〕【０００８】床ずれ防止エアーマットは家庭はもちろん、病院等も巾広く利用出来る。
【図面の簡単な説明】
【０００９】〔図１〕
床ずれ防止エアーマットを敷いて仰臥位の姿勢とり全体を後ろ側からみた背面図である。
【符号の説明】
【００１０】１  エアーが入っている
２  エアーの入り口、排出口、ストッパー付き
３  空間部分
４  圧縮してある
５  背部用
６  腰部から殿部用
【図１】
0003110568.tif 000003
【手続補正書】
【提出日】平成17年3月9日(2005.3.9)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
２カ所の空間形状を有する背部用エアーマットと、１カ所の空間形状を有する殿部用エアーマットの２種類の型からなる、体圧分散型の特徴をもつ床ずれ防止用エアーマット。
(57)【要約】      （修正有）【課題】ＣＤやＤＶＤのプラスチック収納ケースの背面部の内容表示ラベルの文字が容易に判読出来るケースを提供する。【解決手段】ＣＤやＤＶＤのケースの背面表示ラベルを装着する平プラスチック・プレートを半円状の透明プラスチック，あるいは平面凸レンズ加工のプラスチックにし，内面に装着する表示ラベルを外部から拡大視出来る様にするものである。【選択図】図２
0003110561.tif 000002
【実用新案登録請求の範囲】
【請求項１】
電子計算機の外部記録保存装置であるＣＤやＤＶＤのプラスチックの収納ケースにおいて，ＣＤやＤＶＤの内容を示す表示ラベルをケース背面部に装着するプラスチック部分を，外部から表示ラベルの文字や記号を拡大視できる，半円形状のプラスチックや平面凸レンズの作用をする形状のプラスチックにして，外部から表示ラベルの文字や記号が拡大して見えるようにするＣＤやＤＶＤのケース．
【考案の詳細な説明】
【技術分野】
【０００１】本発明は，電子計算機（以下パソコンと称す）の外部記憶装置である，ＣＤやＤＶＤのプラスチック収納ケースの背面の構造と機能に関するものである．
【背景技術】
【０００２】パソコンの外部記憶装置はＣＤやＤＶＤが多用されている．ＣＤやＤＶＤの内容物は，プラスチックケースの表面とケースの背面に装着する表示ラベルを見て内容が確認されている．現在用いられているＣＤやＤＶＤのプラスチック収納ケースは，ケースの厚さが１０ｍｍ越える厚型のものと，５〜６ｍｍの薄型２通り存在する．ケースの背面には平プラスチックが装着されて，内容を示す表示ラベルが装着できるようにしている．【０００３】圧型と薄型のプラスチックケース共に，ケース背面部に装着する表示ラベルの文字や記号は小さく，弱視や老眼等の視力低下者にとっては判読するのが困難な状況である．
【考案の開示】
【考案が解決しようとする課題】
【０００４】ＣＤやＤＶＤの内容物は，内容を入力したメーカによりケースの表面と背面に表示されているか，個人が入力したものは，個人的にラベル等を装着し表示を行う．ＣＤやＤＶＤのプラスチックケースの数が多くなると重ねて収納保管するので，外部からはケースの表面の表示ラベルは見えず，背面の表示ラベルしか見えない．書籍類の検索も書籍の背面表示を頼りに検索するのと同様である．【０００５】厚さが１０ｍｍを超える厚型のプラスチック収納ケースの表示ラベルの文字は大きく，比較的容易に判読できる．然るに，５〜６ｍｍのプラスチック収納ケースでは，背面のラベル装着幅は３．７ｍ程度で，背面のラベルの文字は必然的に小さくする必要があり，老眼等の視力低下者にとっては，小さな文字や記号の判読は困難な状況である．【０００６】現在，個人が所有するＣＤやＤＶＤは数十枚から数百枚の数で，書籍のように収納し，背面ラベルで必要なＣＤやＤＶＤを探す必要がある．しかし，収納したＣＤやＤＶＤのプラスチック収納ケースの背面ラベルの文字が判読出来ない場合は，ＣＤやＤＶＤのプラスチック収納ケースを収納箱から取り出して，表面のラベルを見る必要があり，目的のＣＤやＤＶＤを探し出すのに時間と手間がかかる問題がある．【０００８】本発明は，ＣＤやＤＶＤのケースの背面表示ラベルの文字や記号類を，外部から拡大して見えるようにし，細かい字や記号が判読困難な視力低下者でも，容易に判読出来るＣＤやＤＶＤのプラスチックケースを提供するものである．
【課題を解決するための手段】
【０００９】ＣＤやＤＶＤ収納のプラスチックケースの背面プレートは，従来は透明なプラスチック平プレートにより構成されている．本発明は，この平プレートを半円形状の透明プラスチックや平面凸レンズ加工のプラスチックにして，内面に装着した表示ラベルを外部から拡大して見えるようにするものである．
【考案を実施するための最良の形態】
【０００１０】ＣＤやＤＶＤのプラスチック収納ケースの背面部を図２の▲６▼に示す半円形状の断面を有する透明プラスチックとして，図２の▲７▼に示すＣＤやＤＶＤの内容表示ラベルを，外部から拡大して見えるようにするものである．半円形状のプラスチックは平滑な底面に装着した文字や記号を，円弧状の外面から見るとか，文字や記号を凸レンズのように拡大視できる機能を有する．この半円形状のプラスチックは，図１の▲５▼に示す平プレートに代わるものである．この半円状の拡大装置は，プラスチック収納ケースを射出成型して製造する時一括して形成しても良いが，図１に示す従来のプラスチックケースの▲５▼に半円形状のプラスチックを装着しても良い．【０００１１】図３には図１の▲５▼に示す平プレートを，平面凸レンズ加工のプレートに置き換えた発明を示す．ＣＤやＤＶＤのプラスチック収納ケースの背面部を図３の▲８▼に示す，平面凸レンズ加工の断面を有する透明プラスチックとして，図３の▲７▼に示すＣＤやＤＶＤの内容表示ラベルの文字や記号を，外部から拡大して見えるようにするものである．平面凸レンズ加工のプラスチックは，図１の▲５▼に示す平プレートに代わるものである．この平凸レンズ加工の拡大装置は，プラスチック収納ケースを射出成型して製造する時一括して成型しても良いが，図１に示す従来のプラスチックケースの▲５▼に平面凸レンズ加工のプラスチックを装着しても良い．
【図面の簡単な説明】
【０００１２】
【図１】従来のＣＤやＤＶＤのプラスチック収納ケースの断面図
【図２】収納ケースの背面を半円形状に加工したケースの断面図
【図３】収納ケースの背面を平面凸レンズ加工したケースの断面図
【符号の説明】
【０００１３】▲１▼  ケースの背面部の，内容物を示す表示ラベル装着場所
▲２▼  ＣＤやＤＶＤ本体の収納部
▲３▼  ＣＤやＤＶＤの収納ケース
▲４▼  ＣＤやＤＶＤの収納ケースの蓋
▲５▼  ケースの背面部の平プレート
▲６▼  ケースの背面部のプレートを，半円系のプラスチックを用いて表示ラベルを拡大視出来るようにしたもの．
▲７▼  内容表示ラベル
▲８▼  ケースの背面部のプレートを，平面凸レンズ加工を行ったプラスチックを用いて表示ラベルを拡大視出来るようにしたもの．
【図１】
0003110561.tif 000003
【図２】
0003110561.tif 000004
【図３】
0003110561.tif 000005
(57)【要約】      （修正有）【課題】ゴムキャタピラ走行用設置カバーにより表面が白色状の舗装上を走行する場合に黒いゴム跡が付着するのを防止し、仕事の能率化を計り人件費の削減を計る。【解決手段】布、革，化学繊維等を用いて加工した袋状のカバーを小型重機のゴムキャタピラーに装着して舗装上を走行する。【選択図】図１
0003110581.tif 000002
【実用新案登録請求の範囲】
【請求項１】
布、革、化学繊維など用いて袋状に加工した走行用設置カバー
【考案の詳細な説明】
【考案の詳細な説明】
【０００１】公園，墓地、歩道等に多く使用されているインターロッキングコンクリート平板など表面が白色状の舗装上を走行する場合にゴムキャタピラが黒いゴムで加工されている為、黒いゴム跡が付着する、これを防ぐ為にゴムキャタピラに設置カバーをする、従来は走行時にインターロッキング、コンクリート平板の上にマット，シートなどで表面を被いその上を走行していた為非常に手間が係り人件費の負担が大きかった、大幅な人件費の削減になる。
【産業上の利用分野】
【０００２】この考案は上記の工事に伴う人件費の削減、工事の能率向上に大きなメリットがある。
【背景技術】
【０００３】従来はインターロッキング、コンクリート平板等の上に、マットシートなどを敷き走行していた。
【考案が解決する課題】
【０００４】人の手間が省け人件費の削減になる。
【課題を解決するための手段】
【０００５】ゴムキャタピラに走行用設置カバーを使用。
【作用】
【０００６】走行時に使用
【実施例】
【０００７】図面のように走行時に設置する。
【考案の効果】
【０００８】走行時に設置カバーがあれば、簡単に走行出来、人件費の大幅な削減につながる。
【図面の簡単な説明】
【０００９】
【図１】      本考案の平面図  小型重機ゴムキャタピラ設置カバーの全体像
【図２】      本考案の施工図  ゴムキャタピラ設置カバー設置
【図３】      付属金具、備品  設置カバーがはずれない様に止めスプリング、金具
【符号の説明】
【００１０】１、走行用設置カバー
２、インターロッキング、コンクリート平板上走行
３、止め金具
【図１】
0003110581.tif 000003
【図２】
0003110581.tif 000004
【図３】
0003110581.tif 000005
(57)【要約】      （修正有）【課題】サッカー等で足後方からのチャージに対してアキレス腱部踝部を保護することにある。【解決手段】素材は口腔内に装着するマウスガードシート、ハイブラーを使用し、足型にてアキレスガードの形態に製作する。足に固定するためのマジックテープを差し込む。重量は両足分でおよそ８０ｇである。アキレスガード本体１はアキレス腱部、踝を保護し足首の動きを妨げない形態で調整も可能である。足首固定用マジックテープ２で固定強弱を調整できる。内側に保護パッドを貼る。【選択図】図１
0003110588.tif 000002
【実用新案登録請求の範囲】
【請求項１】
足首の動きを妨げずにアキレス腱部、踝部を一体化して保護するアキレスガード。
【考案の詳細な説明】
【技術分野】
【０００１】  本考案はサッカー等足を使う競技でアキレス腱あよび踝を外力から保護する用具である。
【背景技術】
【０００２】  サッカー等スポーツで脚の前面を保護する脛当ては有るが、非常に危険なアキレス腱部、踝部は無防備であった。
【考案の開示】
【考案が解決しようとする課題】
【０００３】  昨今、サッカーが大変盛んになり、怪我予防のため「脛当て」は義務付けられている。しかし後方からのチャージによりアキレス腱をいためる選手も多い。子供から大人までアキレス腱および踝を保護することにより、怪我を予防し、怪我の恐怖をやわらげ安心してプレーでき、前述の欠点を解決しようとするものである。
【課題を解決するための手段】
【０００４】  本考案は足首の動きを妨げない軟らかさをもち、外力を足に伝えにくくし、結果的に怪我を予防する。
【考案の効果】
【０００５】  上述の様に、本考案のアキレスガードは、今まで無防備であったアキレス腱部、踝部をカバーすることで、怪我の恐怖を和らげることができる。
【考案を実施するための最良の形態】
【０００６】  両足アキレス腱部にアキレスガードを装着しマジックテープで固定する。その上から通常通りストッキングを穿きスパイクを履く。外からは全く邪魔にならずプレーできる。
【実施例】
【０００７】  以下添付図面に従って一実施例を説明する。
素材は口腔内に装着するマウスガードシート、ハイブラーを使用し、足型にてアキレスガードの形態に製作する。足に固定するためのマジックテープを差し込む。重量は両足分でおよそ８０ｇである。
１はアキレスガード本体でアキレス腱部、踝を保護し足首の動きを妨げない形態で調整も可能である。２は足首固定用マジックテープで固定強弱を調整できる。３は内側に保護パッドを貼る。
【産業上の利用可能性】
【０００８】  本考案の一実施例は上記の如き構成からなるものである。足首の動きを妨げず、アキレス腱部、踝部を外力から守り、怪我の予防、怪我の恐怖を和らげ子供から大人までもっとスポーツを楽しむことができる。
【図面の簡単な説明】
【０００９】
【図１】  本考案のアキレスガード後方図である。
【図２】  本考案のアキレスガード側面図である。
【図３】  本考案のアキレスガード正面図である。
【符号の説明】
【００１０】  １  アキレスガード本体
２  固定用マジックテープ
３  保護パッド
【図１】
0003110588.tif 000003
【図２】
0003110588.tif 000004
【図３】
0003110588.tif 000005
(57)【要約】      （修正有）【課題】より使いやすい床ずれのできにくい円座を提供する。【解決手段】数室に分離した空気袋Ｄを数個重ね細い管Ｂで上下夫々の室を連結し、その外側を砂嚢Ａで被ったニュウ円座。【選択図】図１
0003110582.tif 000002
【実用新案登録請求の範囲】
【請求項１】
数室に分かれた空気袋を数個重ねて、上下夫々の室を細い管で、連結し、その外側を砂嚢で包んだ構造になっているニュウ円座。
【考案の詳細な説明】
【産業上の利用分野】
【０００１】      環境、衛生上に関するものである。〔従来の技術〕
【０００２】      長い間床に臥している人、殊に体力の弱った人は床ずれができやすいのである。それは体重や手足の重みがかかっている場所に出来やすいのである。その床ずれを防ぐ為に工夫されたのが円座であり、ヱヤーマットである。一箇所に重さが集中していると、その場所に床ずれが出来やすいのである。そこで体の重さを分散して床ずれを防ごうという試みである。その為にゴム袋の中に空気をいれて、腰、背中、手、足、の重さを分散させるのである。又中に綿、布、小豆等をいれた布袋を用いていたが、本考案もその様に体の重さの分散を図り、床ずれを防ごうという試みのひとつである。〔本考案が解決しようとする課題〕
【０００３】      ゴム袋の中に空気を入れた円座は体の重さの分散を図るには良いが、吸湿性がなく、体表面から出る汗や水分を吸収する事がなく、皮膚に悪影響を及ぼすのである。綿や布を重ねる場合には、多量のものを用いないと体の重みに負けて、すぐにペチャンコになり、長い用には耐えられないきらいがあるのである。又ビニールを用いた空気袋も弾力性がやや弱い傾向がある。そこで接触する皮膚にも都合よく、又ある程度の抵抗が長く続き、弾力性もある程度あるものがもとめられていたのである。〔課題を解決する為の手段〕
【０００４】      そこで体の重みの分散が十分であるようにビニールの空気袋を用いるのであるが、弾力性が少しでも増すように数個の空気袋を重ねて用いるのである。そして又すわり心地が良く、すわって安定が良いように一個の空気袋は数部屋に分割しておくのである。即ち数室に分割されている空気袋を数個重ね、その上下夫々の部屋はちいさな管で連結されているのである。一番上の空気袋に重みがかかると、その袋の空気が一杯になる前に空気は次の袋に移り、次の袋の空気も一杯になる前に次の袋へと移動していくのである。その間に抵抗は軽減されていくのである。そして円座にかかる重さに対する弾力性は増していくのである。そのとき、一室である空気袋を重ねたものを用いると弾力性は良いが、安定性が悪いのである。そこで数部屋に分割した空気袋を使い、それを重ねて上下夫々の部屋を細い管で連結して用いると、柔らかく又安定性の良いものがえられるのである。〔実施例〕
【０００５】４室に分かれた４０ｃｍ×５０ｃｍの平らな空気袋を４個重ね、上下夫々の袋を細い管で連結し、その外側を砂嚢で包み、そしてその外側を布団袋のように布袋で被って完成である。〔考案の効果〕
【０００６】体重のかかる場所では床ずれができやすい。この為体重の分散が図られるのであるが、本考案のニュウ円座を用いれば、この目的がかなり達せられる。構造は簡単、作成は容易、安価である。
【図面の簡単な説明】
【図１】斜位図
【図２】正面図
【図３】側面図
【図４】水平面図
【符号の説明】
Ａ．．．砂嚢  Ｂ．．．空気袋と空気袋とをつなぐ細い管  Ｃ．．。外側の布袋  Ｄ．．。空気袋
【図１】
0003110582.tif 000003
【図２】
0003110582.tif 000004
【図３】
0003110582.tif 000005
【図４】
0003110582.tif 000006